(57)【要約】【課題】ほぼ無人でくじ引きを提供することができ、また、最後まで利用されるように工夫された景品提供装置を提供することを目的とする。【解決手段】ほぼ無人でくじ引きによる景品を提供する景品提供装置１００であって、景品提供装置１００は、少なくとも、代金投入部１０と、複数の景品が陳列された収納部２０と、景品が取り出される景品取出口３０と、外観上、前記景品とは無関係に配置された複数の選択手段４０と、景品を景品取出口へと送り出す景品送出機構６０と、代金投入から景品の取り出しまでを制御する制御装置とを備え、制御装置は、選択手段４０を、収納部内の景品と同じ数だけ選択可能な状態とし、選択手段４０と景品とを１対１でランダムに対応付ける。【選択図】図１
2019185319.tif 000002
【特許請求の範囲】
【請求項１】
ほぼ無人でくじ引きによる景品を提供する景品提供装置であって、
前記景品提供装置は、少なくとも、
代金投入部と、
複数の景品が陳列された収納部と、
前記景品が取り出される景品取出口と、
外観上、前記景品とは無関係に配置された複数の選択手段と、
前記景品を前記景品取出口へと送り出す景品送出機構と、
代金投入から景品の取り出しまでを制御する制御装置とを備え、
前記制御装置は、前記選択手段を、前記収納部内の景品と同じ数だけ選択可能な状態とし、前記選択手段と前記景品とを１対１でランダムに対応付けることを特徴とする景品提供装置。
【請求項２】
前記制御装置は、前記収納部内の景品の数が１になった時に、予め設定された特殊な演出を行うよう制御することを特徴とする請求項１に記載の景品提供装置。
【請求項３】
前記選択可能な状態の選択手段が選択された場合には、必ず前記収納部内の前記景品が提供されることを特徴とする請求項１又は請求項２に記載の景品提供装置。
【請求項４】
さらに、演出機構を備え、
該演出機構は、人の接近や代金の投入を検出して、照明の点灯及び／又は音声により、演出を行うことを特徴とする請求項１乃至請求項３のいずれか１項に記載の景品提供装置。
【発明の詳細な説明】
【技術分野】
【０００１】
本発明は、ほぼ無人でくじ引きを提供する景品提供装置に関する。
【背景技術】
【０００２】
従来より、店舗や商業施設での当りくじ販売、祭りのくじ引きや商店街の抽選会等において、利用者は、一定額の代金を支払うことにより、くじを引き、引き当てたくじの種類に応じて、各種等級に応じた景品を受け取ることができる。
【０００３】
くじを提供する側では、様々な種類の抽選機が用いられている。
【０００４】
例えば、特許文献１には、少なくもその一部が内部透視性を有し、底部開口及び天井部開口と共に、遊戯者が手を挿入する取出口をも有する中空容器と、該中空容器内の空気を攪拌する送風手段と、前記中空容器に収納される多数の軽量くじ片と、を備える抽選機が記載されている。
【０００５】
また、特許文献２には、フレームに対して回転可能とされたドラムが１回転する間に、球種の識別手段が付与された複数の抽選球から選択した一の抽選球を払い出す回転式球出抽選機が記載されている。
【先行技術文献】
【特許文献】
【０００６】
【特許文献１】特開２００２−８０８４号公報
【特許文献２】特開２００５−１１５７４７号公報
【発明の概要】
【発明が解決しようとする課題】
【０００７】
一般的に、特許文献１や２に記載されたような抽選機を用いる場合、利用者が抽選機を使用し、得られたくじの種類をくじ引きの提供者が確認したうえで、くじの種類に対応した景品を利用者に提供する必要がある。
【０００８】
そのため、くじ引きを提供する際には対応する人の人件費等の費用や手間がかかっていた。
【０００９】
また、早い段階で上位等のいわゆる「当たり」くじが出てしまった場合、くじ引き自体の魅力が薄れてしまい、くじ引きの最後の方では利用され難くなるといった問題があった。
【００１０】
そこで、本発明の目的は、上記従来技術の問題点に鑑み、ほぼ無人でくじ引きを提供することができ、また、最後まで利用されるように工夫された景品提供装置を提供することを目的とする。
【課題を解決するための手段】
【００１１】
本発明の一態様は、ほぼ無人でくじ引きによる景品を提供する景品提供装置であって、景品提供装置は、少なくとも、代金投入部と、複数の景品が陳列された収納部と、景品が取り出される景品取出口と、外観上、景品とは無関係に配置された複数の選択手段と、景品を景品取出口へと送り出す景品送出機構と、代金投入から景品の取り出しまでを制御する制御装置とを備え、制御装置は、選択手段を、収納部内の景品と同じ数だけ選択可能な状態とし、選択手段と景品とを１対１でランダムに対応付ける。
【００１２】
本発明の一態様によれば、利用者は複数の選択手段のうちから１つを選択することにより、くじ引きの感覚を味わうことができ、これらの操作を装置内に実装することでほぼ無人でくじ引きを提供することができるため、人件費等も節約できる。
【００１３】
また、このとき、本発明の一態様では、制御装置は、前記収納部内の景品の数が１になった時に、予め設定された特殊な演出を行うよう制御しても良い。
【００１４】
残存景品数が１の時に特殊な演出が行われることにより、利用者はその演出を受けることを目的としてくじを引く動機づけが生じるため、景品提供装置は最後まで利用されるようになる。
【００１５】
また、本発明の一態様では、選択可能な状態の選択手段が選択された場合には、必ず収納部内の景品が提供されるようにしても良い。
【００１６】
いわゆる、空くじ無しの設定とすることにより、利用者は必ず景品を受け取ることができるため、利用者も満足し易い。
【００１７】
また、本発明の一態様では、さらに、演出機構を備え、該演出機構は、人の接近や代金の投入を検出して、照明の点灯及び／又は音声により、演出を行うようにしても良い。
【００１８】
演出機構により、利用者を呼び込むことができるとともに、ナレーション等を加えることで、利用者が迷うことなく装置を使用することができるようになる。
【発明の効果】
【００１９】
このように、本発明によれば、ほぼ無人でくじ引きを提供することができ、また、最後まで利用されるように工夫された景品提供装置を提供することができる。
【図面の簡単な説明】
【００２０】
【図１】本発明の一実施形態に係る景品提供装置の構成を示す正面図である。
【図２】（Ａ）、（Ｂ）は、本発明の一実施形態に係る景品提供装置における景品送出機構の構成を示す概略図である。
【図３】本発明の一実施形態に係る景品提供装置の構成例を示すブロック図である。
【図４】本発明の一実施形態に係る景品提供装置の一連の処理を示すフローチャートである。
【図５】本発明の一実施形態に係る景品提供装置における演出機構による演出の例を示した表である。
【発明を実施するための形態】
【００２１】
以下、本発明に係る景品提供装置について詳細に説明する。なお、本発明は以下の例に限定されるものではなく、本発明の要旨を逸脱しない範囲で、任意に変更可能である。
【００２２】
図１は、本発明の一実施形態に係る景品提供装置の構成を示す正面図である。本発明の一態様は、ほぼ無人でくじ引きによる景品を提供する景品提供装置１００であって、景品提供装置１００は、少なくとも、代金投入部１０と、複数の景品が陳列された収納部２０と、景品が取り出される景品取出口３０と、外観上、前記景品とは無関係に配置された複数の選択手段４０と、景品を景品取出口へと送り出す景品送出機構６０と、代金投入から景品の取り出しまでを制御する制御装置７０とを備え、制御装置７０は、選択手段を、収納部内の景品と同じ数だけ選択可能な状態とし、選択手段と景品とを１対１でランダムに対応付ける。
【００２３】
図１に示すように、本発明の一実施形態に係る景品提供装置１００は、例えば、小型のキャラクタ商品等を包装した景品１を販売する。この景品提供装置１００は、筐体５０を有し、代金投入部１０を備えている。また、この筐体５０の上部には、景品１が複数収納される収納部２０が設けられており、収納部２０の外装は、透明又は半透明に形成されており、収納部２０内の景品１を目視することができるようになっている。また、筐体５０には、収納部２０の下方に複数のボタンから成る選択手段４０を備え、選択手段４０の下側に、選択手段４０と対応して選択された一の景品１が取り出される景品取出口３０が備えられている。
【００２４】
代金投入部１０は、硬貨投入口１１及び紙幣挿入口１２を有する。また、返却レバー又はボタン（図示せず）、表示部１３、代金返却口１４、筐体開閉レバー１５等を適宜備える。これらの機構は、通常の自動販売機等で用いられているものと同様で良い。
【００２５】
収納部２０内には、複数の景品１が収納される。複数の景品１は、例えばその種類ごとに、景品保持軸に保持される。図２（Ａ）、（Ｂ）は、本発明の一実施形態に係る景品提供装置における景品送出機構６０の構成を示す概略図である。景品１Ａは、例えば、図２（Ａ）に示すように、包装袋２２Ａ又は包装容器に包まれた状態で、該包装袋２２Ａ又は包装容器に備えられたフック２３Ａにより、景品保持軸２１Ａに保持される。また、景品１が大きい場合や有形物ではない場合等には、図２（Ｂ）に示すように、景品引換券１Ｂを景品保持軸２１Ｂに保持させるようにしても良い。
【００２６】
景品１は、後述する選択手段４０により選択された場合に、景品送出機構６０により、景品取出口３０へと送り出される。景品送出機構６０は、例えば、図２（Ａ）に示すように、らせん状の景品保持軸２１Ａを回転させることで、景品１Ａを前方に送り出し、景品１Ａを景品保持軸２１Ａから離脱させて下方の景品取出口３０へと落下させるようにしてもよいし、図２（Ｂ）に示すように、穴部２２Ｂを有する景品や景品引換券１Ｂを軸状の景品保持軸２１Ｂに通しておいて、景品送出機構６０により景品保持軸２１Ｂを斜め下方に下げるようにして、景品引換券１Ｂを景品保持軸２１Ｂから離脱させて下方の景品取出口３０へと落下させるようにしてもよい。
【００２７】
選択手段４０は、外観上、景品１とは無関係に配置される。すなわち、例えば、図１に示されるように、すべての選択手段が１か所に並べて配置され、どの選択手段を選んでもどの景品が当たるかは分からないように配置される。このため、利用者は、くじ引きの感覚で、複数配置された選択手段４０の中から１つを選択することができる。制御装置７０は、複数の選択手段４０の内、例えば、選択可能な選択手段４１は点灯状態とし、選択不可能な選択手段４２は非点灯状態とすることができる。選択手段４０としては、例えば、スイッチやボタンなどが挙げられる。
【００２８】
選択手段４０の数は、収納部２０内の景品１の数と同数になるようにすることが好ましい。例えば、１００個程度の景品１を収納することを前提とする場合には、選択手段の数も１００程度とすることが好ましい。
【００２９】
図３は、本発明の一実施形態に係る景品提供装置の構成例を示すブロック図である。制御装置７０は、景品提供装置１００における景品提供のための各種制御を統括するものである。制御装置７０は、例えば、ＣＰＵ７１、ＲＯＭ７２、ＲＡＭ７３、周辺回路７４等から構成されるマイクロコンピュータを備える。制御装置７０は、さらに、外部と通信するための通信機構７５を有していても良い。これにより、後述するように、選択手段４０と収納部２０内の景品１とを１対１でランダムに対応付けたり、残存景品数Ｎを記憶したり、その他必要な情報を外部とやり取りすることができる。
【００３０】
続いて、本発明の一実施形態に係る景品提供装置１００の制御について説明する。図４は、本発明の一実施形態に係る景品提供装置の一連の処理を示すフローチャートである。
【００３１】
景品提供装置１００では、先ず、利用者が代金を投入したことを検知する（工程Ｓ１）。そして、投入代金が、景品提供装置１００の使用代金に達した場合には、次の工程へと移行する。代金投入を検知する工程Ｓ１は、通常の自動販売機等における処理と同じであり、つり銭が生じれば、代金返却口から返却する。
【００３２】
そして、工程Ｓ１で必要な代金が投入されたことが検知されると、景品提供装置１００の制御装置７０は、収納部２０内の残存景品数Ｎに応じて選択手段４０を選択可能な状態とする（工程Ｓ２）。選択可能な状態にするとは、例えば、選択可能な選択手段４０のみを点灯することで、利用者にその選択手段４０が選択可能であることを認識させる。また、加えて、後述する演出機構８０によるナレーションにより、利用者に知らせても良い。
【００３３】
選択可能とされた選択手段４０と収納部２０内の景品とは、制御装置７０により１対１でランダムに対応付けられる。選択手段４０と景品とを対応付ける手段は、特に限定されないが、例えば、制御装置７０内に乱数生成回路を備えておき、生成された乱数に応じて対応付けても良いし、或いは、景品入れ替え時や遠隔操作により、手動で設定を変更するようにしても良い。
【００３４】
利用者は、工程Ｓ２において選択可能となった選択手段４０のうちから１つを選択する（工程Ｓ３）。例えば、選択した選択手段４０を押下する。
【００３５】
この時、本発明の一態様では、選択可能な状態の選択手段４０が選択された場合には、必ず収納部２０内の景品が提供されるように設定することが好ましい。いわゆる、空くじ無しの設定とすることにより、利用者は必ず景品を受け取ることができるため、利用者も満足し易い。
【００３６】
利用者により選択手段４０が選択された場合、制御装置７０において、残存景品数Ｎが１であるか否かを判定する（工程Ｓ４）。残存景品数Ｎが１以外の場合、すなわち、景品提供装置１００の収納部２０内に複数の景品１が残されている場合、制御装置７０により、選択された選択手段に対応する景品１の種類が決定される。景品１は、その都度、制御装置７０で決定しても良いし、あらかじめ、対応付けられた対応関係により決定しても良い。
【００３７】
景品１の種類が決定した後、制御装置７０は、その景品１が保持されている景品保持軸を景品送出機構６０により稼働させ、該当する景品１を景品取出口３０へと送り出す（工程Ｓ５）。利用者は景品取出口３０から決定された景品１を取出し、利用者による一連の操作は終了する。選択された景品１が景品引換券の場合は、例えば、景品提供装置１００を提供する店舗の受付に持参したり、または、景品引換券に記載された連絡先に連絡することにより、景品１を受け取るようにしても良い。
【００３８】
景品１が提供された後は、制御装置７０の記憶部に記憶された残存景品数Ｎの数を１減算する（工程Ｓ６）。これにより、収納部２０内の景品１の数と選択可能な選択手段４０の数を常に同じになるように制御することができる。
【００３９】
また、工程Ｓ４において、残存景品数Ｎが１の場合、すなわち、収納部２０内の景品１が最後の１個である場合、特殊な演出を行う（工程Ｓ７）。一般に、くじ引きにおいて、早い段階で上位等のいわゆる「当たり」くじが出てしまった場合、くじ引き自体の魅力が薄れてしまい、くじ引きの最後の方では利用され難くなるといった問題があった。したがって、残存景品数が１の時に特殊な演出が行うことで、利用者はその演出を受けることを目的としてくじを引く動機づけが生じるため、景品提供装置１００は最後まで利用されるようになる。
【００４０】
特別な演出（例えば、ラストスペシャル賞と称する）としては、最後の１個の景品を提供するとともに、通常の景品とは別に保持しておいた通常のくじ引きでは提供されない景品又は景品引換券を提供するようにすることができる。なお、このような特別な演出をすることにより、景品がすべてなくなるまで、景品提供装置１００による提供を続けても良いが、例えば、収納部２０内の景品の等級と残存数の情報を通信等により、管理者に通知し、適宜景品を補充するような運用でも良い。
【００４１】
特別な演出により、収納部２０内の景品がすべてなくなった場合には、制御装置７０等により景品の補充を管理者に通知する（工程Ｓ８）。例えば、通信機構７５による通信により情報が通知される。管理者は、景品がすべてなくなったことを確認すると、景品提供装置１００に景品を補充し、制御装置７０内の残存景品数Ｎの情報を補充した景品１の数に更新する。
【００４２】
本発明の一実施形態に係る景品提供装置１００は、さらに、演出機構８０を備え、演出機構８０は、人の接近や代金の投入を検出して、照明の点灯及び／又は音声により、演出を行うようにすることができる。演出機構８０により、利用者を呼び込むことができるとともに、ナレーション等を加えることで、利用者が迷うことなく装置を使用することができるようになる。
【００４３】
例えば、照明としては、筐体５０の収納部２０内に設ける「筐体内照明」、収納部２０の外縁に設ける「カラフル電飾」、選択手段４０を点灯させる「選択手段電飾」、収納部２０内の景品保持軸周辺を点灯することで景品を際立たせる「ラック電飾」、景品取出口３０に設ける「取出口照明」などを備える。
【００４４】
また、音声は、利用者に景品提供装置１００の操作をナビゲートするための台詞と、くじ引きの際の高揚感を演出するためのＢＧＭ等の演出を行う。これらの、照明及び／又は音声による演出も制御装置７０に記憶された設定等に基づいて行われる。演出機構８０による演出の設定例を図５に示す。図５は、本発明の一実施形態に係る景品提供装置における演出機構８０による演出の例を示した表である。
【００４５】
以上説明してきたように、本発明によれば、複数の選択手段から１つを選択させることで、ほぼ無人でくじ引きを提供することができ、また、ラストスペシャル賞などの設定を加えることで最後まで利用されるように工夫された景品提供装置を提供することができる。
【００４６】
なお、上記のように本発明の一実施形態及び各実施例について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００４７】
例えば、明細書又は図面において、少なくとも一度、より広義又は同義な異なる用語と共に記載された用語は、明細書又は図面のいかなる箇所においても、その異なる用語に置き換えることができる。また、景品提供装置の構成も本発明の一実施形態及び各実施例で説明したものに限定されず、種々の変形実施が可能である。
【産業上の利用可能性】
【００４８】
本発明に係る景品提供装置は、店舗や商業施設での当りくじ販売、遊戯施設や、祭りのくじ引きや商店街の抽選会等様々な場面で、人が常駐することなくくじ引きを提供することができるため、人件費等の費用がかかることなく効率的にくじ引きによる景品を提供することができる。
【符号の説明】
【００４９】
１  景品、１０  代金投入部、１１  硬化投入口、１２  紙幣投入口、１３  表示部、１４  代金返却口、１５  筐体開閉レバー、２０  収納部、２１Ａ，２１Ｂ  景品保持軸、２２Ａ  包装袋、２２Ｂ  穴部、２３Ａ  フック、３０  景品取出口、４０  選択手段、４１  選択手段（点灯）、４２  選択手段（非点灯）、５０  筐体、６０  景品送出機構、７０  制御装置、７１  ＣＰＵ、７２  ＲＯＭ、７３  ＲＡＭ、７４  周辺回路、７５  通信機構、８０  演出機構、１００  景品提供装置
【図１】
2019185319.tif 000003
【図２】
2019185319.tif 000004
【図３】
2019185319.tif 000005
【図４】
2019185319.tif 000006
【図５】
2019185319.tif 000007